(57)【特許請求の範囲】
【請求項１】
所定の変調方式で記録された磁気データを再生し復調する磁気データ処理装置において、
前記再生信号のデータ期間に基づき、前記変調方式の原理に則して存在する複数種のデータ期間から基準データ期間を生成する第１生成手段と、
この第１生成手段で生成される各基準データ期間のうち一つを選択する選択手段と、
この選択手段で選択される基準データ期間に基づき復調用クロック信号を作成する作成手段と、
この作成手段で作成される復調用クロック信号に基づき、前記変調方式の原理に則して再生が想定される複数種のデータ期間を生成する第２生成手段と、
前記再生信号のデータ期間が前記第２生成手段で生成される各データ期間のいずれに対応するか判定する判定手段と、
前記再生信号の初めに含まれる同期用データを検出する検出手段と、
前記選択手段の選択対象を、初めは前記検出手段で検出される同期用データのデータ期間に対応する基準データ期間に決定し、以後、前記判定手段の判定結果に応じた基準データ期間に決定する制御手段と、
を具備したことを特徴とする磁気データ処理装置。
【請求項２】
所定の変調方式で記録された磁気データを再生し復調する磁気データ処理装置において、
前記再生信号のデータ期間に基づき、前記変調方式の原理に則して存在する複数種のデータ期間から基準データ期間を生成する第１生成手段と、
この第１生成手段で生成される各基準データ期間のうち一つを選択する選択手段と、
この選択手段で選択される基準データ期間に基づき復調用クロック信号を所定の時定数をもって作成する作成手段と、
この作成手段で作成される復調用クロック信号に基づき、前記変調方式の原理に則して再生が想定される複数種のデータ期間を生成する第２生成手段と、
前記再生信号のデータ期間が前記第２生成手段で生成される各データ期間のいずれに対応するか判定する判定手段と、
前記再生信号の初めに含まれる同期用データを検出する検出手段と、
前記選択手段の選択対象を、初めは前記検出手段で検出される同期用データのデータ期間に対応する基準データ期間に決定し、以後、前記判定手段の判定結果に応じた基準データ期間に決定する制御手段と、
を具備したことを特徴とする磁気データ処理装置。
【請求項３】
所定の変調方式で記録された磁気データを再生し復調する磁気データ処理装置において、
前記再生信号のデータ期間に基づき、前記変調方式の原理に則して存在する複数種のデータ期間から基準データ期間を生成する第１生成手段と、
この第１生成手段で生成される各基準データ期間のうち一つを選択する選択手段と、
この選択手段で選択される基準データ期間に基づき復調用クロック信号を所定の時定数をもって作成する作成手段と、
前記再生信号のデータ密度を判別する判別手段と、
この判別手段で判別されるデータ密度に応じて前記作成手段の時定数を最適な初期値に設定する時定数制御手段と、
前記作成手段で作成される復調用クロック信号に基づき、前記変調方式の原理に則して再生が想定される複数種のデータ期間を生成する第２生成手段と、
前記再生信号のデータ期間が前記第２生成手段で生成される各データ期間のいずれに対応するか判定する判定手段と、
前記再生信号の初めに含まれる同期用データを検出する検出手段と、
前記選択手段の選択対象を、初めは前記検出手段で検出される同期用データのデータ期間に対応する基準データ期間に決定し、以後、前記判定手段の判定結果に応じた基準データ期間に決定する制御手段と、
を具備したことを特徴とする磁気データ処理装置。
【請求項４】
所定の変調方式で記録された磁気データを搬送される磁気記録媒体から再生し復調する磁気データ処理装置において、
前記再生信号のデータ期間に基づき、前記変調方式の原理に則して存在する複数種のデータ期間から基準データ期間を生成する第１生成手段と、
この第１生成手段で生成される各基準データ期間のうち一つを選択する選択手段と、
この選択手段で選択される基準データ期間を時定数回路に通し、その時定数回路を経た基準データ期間に基づき復調用クロック信号を作成する作成手段と、
前記再生信号のデータ密度を判別する判別手段と、
この判別手段で判別されるデータ密度に応じて前記時定数回路の時定数を最適な初期値に設定する時定数制御手段と、
前記作成手段で作成される復調用クロック信号に基づき、前記変調方式の原理に則して再生が想定される複数種のデータ期間を生成する第２生成手段と、
前記再生信号のデータ期間が前記第２生成手段で生成される各データ期間のいずれに対応するか判定する判定手段と、
前記再生信号の初めに含まれる同期用データを検出する検出手段と、
前記選択手段の選択対象を、初めは前記検出手段で検出される同期用データのデータ期間に対応する基準データ期間に決定し、以後、前記判定手段の判定結果に応じた基準データ期間に決定する制御手段と、
を具備したことを特徴とする磁気データ処理装置。
【請求項５】
ＭＦＭ方式で記録された磁気データを搬送される磁気記録媒体から再生し復調する磁気データ処理装置において、
前記再生信号のデータ期間に基づき、前記ＭＦＭ方式の原理に則して存在する複数種のデータ期間から基準データ期間を生成する第１生成手段と、
この第１生成手段で生成される各基準データ期間のうち一つを選択する選択手段と、
この選択手段で選択される基準データ期間を時定数回路に通し、その時定数回路を経た基準データ期間に基づき復調用クロック信号を作成する作成手段と、
前記再生信号のデータ密度を判別する判別手段と、
この判別手段で判別されるデータ密度に応じて前記時定数回路の時定数を最適な初期値に設定する時定数制御手段と、
前記作成手段で作成される復調用クロック信号に基づき、前記ＭＦＭ方式の原理に則して再生が想定される三種のデータ期間を生成する第２生成手段と、
前記再生信号のデータ期間が前記第２生成手段で生成される各データ期間のいずれに対応するか判定する判定手段と、
前記再生信号の初めに含まれる同期用データを検出する検出手段と、
前記選択手段の選択対象を、初めは前記検出手段で検出される同期用データのデータ期間に対応する基準データ期間に決定し、以後、前記判定手段の判定結果に応じた基準データ期間に決定する制御手段と、
を具備したことを特徴とする磁気データ処理装置。
【請求項６】
所定の変調方式で記録された磁気データを再生し復調する磁気データ処理方法において、
前記再生信号のデータ期間に基づき、前記変調方式の原理に則して存在する複数種のデータ期間から基準データ期間を生成するステップと、
この生成される各基準データ期間のうち一つを選択するステップと、
この選択される基準データ期間に基づき復調用クロック信号を作成するステップと、
この作成される復調用クロック信号に基づき、前記変調方式の原理に則して再生が想定される複数種のデータ期間を生成するステップと、
前記再生信号のデータ期間が前記生成される各データ期間のいずれに対応するか判定するステップと、
前記再生信号の初めに含まれる同期用データを検出するステップと、
前記選択の対象を、初めは前記検出される同期用データのデータ期間に対応する基準データ期間に決定し、以後、前記判定に応じた基準データ期間に決定するステップと、
を備えたことを特徴とする磁気データ処理方法。
【請求項７】
所定の変調方式で記録された磁気データを再生し復調する磁気データ処理方法において、
前記再生信号のデータ期間に基づき、前記変調方式の原理に則して存在する複数種のデータ期間から基準データ期間を生成するステップと、
この生成される各基準データ期間のうち一つを選択するステップと、
この選択される基準データ期間に基づき復調用クロック信号を所定の時定数をもって作成するステップと、
この作成される復調用クロック信号に基づき、前記変調方式の原理に則して再生が想定される複数種のデータ期間を生成するステップと、
前記再生信号のデータ期間が前記生成される各データ期間のいずれに対応するか判定するステップと、
前記再生信号の初めに含まれる同期用データを検出するステップと、
前記選択の対象を、初めは前記検出される同期用データのデータ期間に対応する基準データ期間に決定し、以後、前記判定に応じた基準データ期間に決定するステップと、
を備えたことを特徴とする磁気データ処理方法。
【請求項８】
所定の変調方式で記録された磁気データを再生し復調する磁気データ処理方法において、
前記再生信号のデータ期間に基づき、前記変調方式の原理に則して存在する複数種のデータ期間から基準データ期間を生成するステップと、
この生成される各基準データ期間のうち一つを選択するステップと、
この選択される基準データ期間に基づき復調用クロック信号を所定の時定数をもって作成するステップと、
前記再生信号のデータ密度を判別するステップと、
この判別されるデータ密度に応じて前記時定数を最適な初期値に設定するステップと、
前記作成される復調用クロック信号に基づき、前記変調方式の原理に則して再生が想定される複数種のデータ期間を生成するステップと、
前記再生信号のデータ期間が前記生成される各データ期間のいずれに対応するか判定するステップと、
前記再生信号の初めに含まれる同期用データを検出するステップと、
前記選択の対象を、初めは前記検出される同期用データのデータ期間に対応する基準データ期間に決定し、以後、前記判定に応じた基準データ期間に決定するステップと、
を備えたことを特徴とする磁気データ処理方法。
【請求項９】
所定の変調方式で記録された磁気データを搬送される磁気記録媒体から再生し復調する磁気データ処理方法において、
前記再生信号のデータ期間に基づき、前記変調方式の原理に則して存在する複数種のデータ期間から基準データ期間を生成するステップと、
この生成される各基準データ期間のうち一つを選択するステップと、
この選択される基準データ期間に時定数変化を与え、その時定数変化が与えられた基準データ期間に基づき復調用クロック信号を作成するステップと、
前記再生信号のデータ密度を判別するステップと、
この判別されるデータ密度に応じて前記時定数を最適な初期値に設定するステップと、
前記作成される復調用クロック信号に基づき、前記変調方式の原理に則して再生が想定される複数種のデータ期間を生成するステップと、
前記再生信号のデータ期間が前記生成される各データ期間のいずれに対応するか判定するステップと、
前記再生信号の初めに含まれる同期用データを検出するステップと、
前記選択の対象を、初めは前記検出される同期用データのデータ期間に対応する基準データ期間に決定し、以後、前記判定に応じた基準データ期間に決定するステップと、
を備えたことを特徴とする磁気データ処理方法。
【請求項１０】
ＭＦＭ方式で記録された磁気データを搬送される磁気記録媒体から再生し復調する磁気データ処理方法において、
前記再生信号のデータ期間に基づき、前記ＭＦＭ方式の原理に則して存在する三種のデータ期間から基準データ期間を生成するステップと、
この生成される各基準データ期間のうち一つを選択するステップと、
この選択される基準データ期間に時定数変化を与え、その時定数変化が与えられた基準データ期間に基づき復調用クロック信号を作成するステップと、
前記再生信号のデータ密度を判別するステップと、
この判別されるデータ密度に応じて前記時定数を最適な初期値に設定するステップと、
前記作成される復調用クロック信号に基づき、前記ＭＦＭ方式の原理に則して再生が想定される三種のデータ期間を生成するステップと、
前記再生信号のデータ期間が前記生成される各データ期間のいずれに対応するか判定するステップと、
前記再生信号の初めに含まれる同期用データを検出するステップと、
前記選択の対象を、初めは前記検出される同期用データのデータ期間に対応する基準データ期間に決定し、以後、前記判定に応じた基準データ期間に決定するステップと、
を備えたことを特徴とする磁気データ処理方法。
【発明の詳細な説明】
【０００１】
【発明の属する技術分野】
この発明は、所定の変調方式で記録された磁気データを再生し復調する磁気データ処理装置および磁気データ処理方法に関する。
【０００２】
【従来の技術】
駅務機器の定期券、各種カード類、流通用プリペイドカード等では、各種の磁気記録変調方式が用いられている。これまでの製品開発の流れでは、記録密度が低いＮＲＺ−Ｉ方式からスタートし、カード化でＦ２Ｆ方式を用い、さらに高記録密度としてＭＦＭ方式を使用するようになった。
【０００３】
これに伴い、磁気情報から変調データを取出すための復調方式に与えられる条件が厳しくなり、カードの搬送速度の安定性および偏差などの問題が出現してきた。
これらの問題点は、各変調方式の特徴と欠点から構成される。
【０００４】
【発明が解決しようとする課題】
ＮＲＺ−Ｉ方式は、低記録密度であるが、復調用のクロックデータも併記して記録しているため、復調時には、搬送速度の変動が生じてもデータの抽出不良はきわめて生じ難かった。
【０００５】
Ｆ２Ｆ方式で記録密度が向上した。この変調方式では、データ内にクロックデータも包含しているため、前ビット参照方式を用いることで、ゆっくりとした搬送速度の変動について、追従したデータ抽出を行なえる復調方式が採用されている。
【０００６】
ＭＦＭ方式では、更なる記録密度の向上がなされたが、このデータにはＦ２Ｆ方式のようなクロックデータが完全には入っていない。このため、復調ではこのクロックを作成するため各種の方式がある。
【０００７】
（１）データの先頭（アンブル）に所定の同期用データを記述し、復調時にこのデータ部の内容に適合して読むことでクロックを抽出し、この先頭で固定したクロックで以後の全データを復調する。欠点は、搬送速度が変動して先頭と後の速度差が生じると復調エラーとなる。
【０００８】
（２）固定クロックを内部作成して、搬送速度を安定化して読む。これによると、速度変動、書込みと読込みとの速度差がエラーの要因となる。
このように、ＭＦＭ方式の復調方式には、搬送速度の偏差および変動、書込み時の記録密度の偏差、書込み不良など、に弱いという欠点があった。
【０００９】
この発明は上記の事情を考慮したもので、
第１ないし第５の発明の磁気データ処理装置は、磁気記録媒体の搬送速度の変動、あるいは磁気記録媒体に対するデータ書込み時の記録密度の偏差や書込み不良などに影響を受けることなく、安定した復調用クロック信号を得て誤りのない適正な復調が可能なことを目的とする。
【００１０】
第６ないし第１０の発明の磁気データ処理方法は、磁気記録媒体の搬送速度の変動、あるいは磁気記録媒体に対するデータ書込み時の記録密度の偏差や書込み不良などに影響を受けることなく、安定した復調用クロック信号を得て誤りのない適正な復調が可能なことを目的とする。
【００１１】
【課題を解決するための手段】
第１の発明の磁気データ処理装置は、所定の変調方式で記録された磁気データを再生し復調するものであって、上記再生信号のデータ期間ｔn に基づき、上記変調方式の原理に則して存在する複数種のデータ期間から基準データ期間Ｔを生成する第１生成手段と、この第１生成手段で生成される各基準データ期間Ｔのうち一つを選択する選択手段と、この選択手段で選択される基準データ期間Ｔに基づき復調用クロック信号ｔckを作成する作成手段と、この作成手段で作成される復調用クロック信号ｔckに基づき、上記変調方式の原理に則して再生が想定される複数種のデータ期間Ｔ´を生成する第２生成手段と、上記再生信号のデータ期間ｔn が上記第２生成手段で生成される各データ期間Ｔ´のいずれに対応するか判定する判定手段と、上記再生信号の初めに含まれる同期用データを検出する検出手段と、上記選択手段の選択対象を、初めは上記検出手段で検出される同期用データのデータ期間ｔn に対応する基準データ期間Ｔに決定し、以後、上記判定手段の判定結果に応じた基準データ期間Ｔに決定する制御手段と、を備える。
【００１２】
第２の発明の磁気データ処理装置は、所定の変調方式で記録された磁気データを再生し復調するものであって、上記再生信号のデータ期間ｔn に基づき、上記変調方式の原理に則して存在する複数種のデータ期間から基準データ期間Ｔを生成する第１生成手段と、この第１生成手段で生成される各基準データ期間Ｔのうち一つを選択する選択手段と、この選択手段で選択される基準データ期間Ｔに基づき復調用クロック信号ｔckを所定の時定数をもって作成する作成手段と、この作成手段で作成される復調用クロック信号ｔckに基づき、上記変調方式の原理に則して再生が想定される複数種のデータ期間Ｔ´を生成する第２生成手段と、上記再生信号のデータ期間ｔn が上記第２生成手段で生成される各データ期間Ｔ´のいずれに対応するか判定する判定手段と、上記再生信号の初めに含まれる同期用データを検出する検出手段と、上記選択手段の選択対象を、初めは上記検出手段で検出される同期用データのデータ期間ｔn に対応する基準データ期間Ｔに決定し、以後、上記判定手段の判定結果に応じた基準データ期間Ｔに決定する制御手段と、を備える。
【００１３】
第３の発明の磁気データ処理装置は、所定の変調方式で記録された磁気データを再生し復調するものであって、上記再生信号のデータ期間ｔn に基づき、上記変調方式の原理に則して存在する複数種のデータ期間から基準データ期間Ｔを生成する第１生成手段と、この第１生成手段で生成される各基準データ期間Ｔのうち一つを選択する選択手段と、この選択手段で選択される基準データ期間Ｔに基づき復調用クロック信号ｔckを所定の時定数をもって作成する作成手段と、上記再生信号のデータ密度を判別する判別手段と、この判別手段で判別されるデータ密度に応じて上記作成手段の時定数を最適な初期値に設定する時定数制御手段と、上記作成手段で作成される復調用クロック信号ｔckに基づき、上記変調方式の原理に則して再生が想定される複数種のデータ期間Ｔ´を生成する第２生成手段と、上記再生信号のデータ期間ｔn が上記第２生成手段で生成される各データ期間Ｔ´のいずれに対応するか判定する判定手段と、上記再生信号の初めに含まれる同期用データを検出する検出手段と、上記選択手段の選択対象を、初めは上記検出手段で検出される同期用データのデータ期間ｔn に対応する基準データ期間Ｔに決定し、以後、上記判定手段の判定結果に応じた基準データ期間Ｔに決定する制御手段と、を備えている。
【００１４】
第４の発明の磁気データ処理装置は、所定の変調方式で記録された磁気データを搬送される磁気記録媒体から再生し復調するものであって、上記再生信号のデータ期間ｔn に基づき、上記変調方式の原理に則して存在する複数種のデータ期間から基準データ期間Ｔを生成する第１生成手段と、この第１生成手段で生成される各基準データ期間Ｔのうち一つを選択する選択手段と、この選択手段で選択される基準データ期間Ｔを時定数回路に通し、その時定数回路を経た基準データ期間Ｔに基づき復調用クロック信号ｔckを作成する作成手段と、上記再生信号のデータ密度を判別する判別手段と、この判別手段で判別されるデータ密度に応じて上記時定数回路の時定数を最適な初期値に設定する時定数制御手段と、上記作成手段で作成される復調用クロック信号ｔckに基づき、上記変調方式の原理に則して再生が想定される複数種のデータ期間Ｔ´を生成する第２生成手段と、上記再生信号のデータ期間ｔn が上記第２生成手段で生成される各データ期間Ｔ´のいずれに対応するか判定する判定手段と、上記再生信号の初めに含まれる同期用データを検出する検出手段と、上記選択手段の選択対象を、初めは上記検出手段で検出される同期用データのデータ期間ｔn に対応する基準データ期間Ｔに決定し、以後、上記判定手段の判定結果に応じた基準データ期間Ｔに決定する制御手段と、を備える。
【００１５】
第５の発明の磁気データ処理装置は、ＭＦＭ方式で記録された磁気データを搬送される磁気記録媒体から再生し復調するものであって、上記再生信号のデータ期間ｔn に基づき、上記ＭＦＭ方式の原理に則して存在する複数種のデータ期間から基準データ期間Ｔ（＝ｔn ／1 、＝ｔn ／1.5 、＝ｔn ／2 ）を生成する第１生成手段と、この第１生成手段で生成される各基準データ期間Ｔのうち一つを選択する選択手段と、この選択手段で選択される基準データ期間Ｔを時定数回路に通し、その時定数回路を経た基準データ期間Ｔに基づき復調用クロック信号  ｔck（＝Ｔ／Ｎ、Ｎは整数）を作成する作成手段と、上記再生信号のデータ密度（＝bit ／inch）を判別する判別手段と、この判別手段で判別されるデータ密度に応じて上記時定数回路の時定数を最適な初期値に設定する時定数制御手段と、上記作成手段で作成される復調用クロック信号ｔckに基づき、上記ＭＦＭ方式の原理に則して再生が想定される三種のデータ期間（ 1・Ｔ´、 1.5・Ｔ´、     2・Ｔ´）を生成する第２生成手段と、上記再生信号のデータ期間ｔn が上記第２生成手段で生成される各データ期間（ 1・Ｔ´、 1.5・Ｔ´、 2・Ｔ´）のいずれに対応するか判定する判定手段と、上記再生信号の初めに含まれる同期用データを検出する検出手段と、上記選択手段の選択対象を、初めは上記検出手段で検出される同期用データのデータ期間ｔn に対応する基準データ期間Ｔ（＝    ｔn ／1 ）に決定し、以後、上記判定手段の判定結果に応じた基準データ期間  Ｔ（＝ｔn ／1 、＝ｔn ／1.5 、＝ｔn ／2 ）に決定する制御手段と、を備えている。
【００１６】
第６の発明の磁気データ処理方法は、所定の変調方式で記録された磁気データを再生し復調するものであって、上記再生信号のデータ期間ｔn に基づき、上記変調方式の原理に則して存在する複数種のデータ期間から基準データ期間Ｔを生成するステップと、この生成される各基準データ期間Ｔのうち一つを選択するステップと、この選択される基準データ期間Ｔに基づき復調用クロック信号ｔckを作成するステップと、この作成される復調用クロック信号ｔckに基づき、上記変調方式の原理に則して再生が想定される複数種のデータ期間Ｔ´を生成するステップと、上記再生信号のデータ期間ｔn が上記生成される各データ期間Ｔ´のいずれに対応するか判定するステップと、上記再生信号の初めに含まれる同期用データを検出するステップと、上記選択の対象を、初めは上記検出される同期用データのデータ期間ｔn に対応する基準データ期間Ｔに決定し、以後、上記判定に応じた基準データ期間Ｔに決定するステップと、を備える。
【００１７】
第７の発明の磁気データ処理方法は、所定の変調方式で記録された磁気データを再生し復調するものであって、上記再生信号のデータ期間ｔn に基づき、上記変調方式の原理に則して存在する複数種のデータ期間から基準データ期間Ｔを生成するステップと、この生成される各基準データ期間Ｔのうち一つを選択するステップと、この選択される基準データ期間Ｔに基づき復調用クロック信号ｔckを所定の時定数をもって作成するステップと、この作成される復調用クロック信号ｔckに基づき、上記変調方式の原理に則して再生が想定される複数種のデータ期間Ｔ´を生成するステップと、上記再生信号のデータ期間ｔn が上記生成される各データ期間Ｔ´のいずれに対応するか判定するステップと、上記再生信号の初めに含まれる同期用データを検出するステップと、上記選択の対象を、初めは上記検出される同期用データのデータ期間ｔn に対応する基準データ期間Ｔに決定し、以後、上記判定に応じた基準データ期間Ｔに決定するステップと、を備えたことを特徴とする磁気データ処理方法。
【００１８】
第８の発明の磁気データ処理方法は、所定の変調方式で記録された磁気データを再生し復調するものであって、上記再生信号のデータ期間ｔn に基づき、上記変調方式の原理に則して存在する複数種のデータ期間から基準データ期間Ｔを生成するステップと、この生成される各基準データ期間Ｔのうち一つを選択するステップと、この選択される基準データ期間Ｔに基づき復調用クロック信号ｔckを所定の時定数をもって作成するステップと、上記再生信号のデータ密度を判別するステップと、この判別されるデータ密度に応じて上記時定数を最適な初期値に設定するステップと、上記作成される復調用クロック信号ｔckに基づき、上記変調方式の原理に則して再生が想定される複数種のデータ期間Ｔ´を生成するステップと、上記再生信号のデータ期間ｔn が上記生成される各データ期間Ｔ´のいずれに対応するか判定するステップと、上記再生信号の初めに含まれる同期用データを検出するステップと、上記選択の対象を、初めは上記検出される同期用データのデータ期間ｔn に対応する基準データ期間Ｔに決定し、以後、上記判定に応じた基準データ期間Ｔに決定するステップと、を備えている。
【００１９】
第９の発明の磁気データ処理方法は、所定の変調方式で記録された磁気データを搬送される磁気記録媒体から再生し復調するものであって、上記再生信号のデータ期間ｔn に基づき、上記変調方式の原理に則して存在する複数種のデータ期間から基準データ期間Ｔを生成するステップと、この生成される各基準データ期間Ｔのうち一つを選択するステップと、この選択される基準データ期間Ｔに時定数変化を与え、その時定数変化が与えられた基準データ期間Ｔに基づき復調用クロック信号ｔckを作成するステップと、上記再生信号のデータ密度を判別するステップと、この判別されるデータ密度に応じて上記時定数を最適な初期値に設定するステップと、上記作成される復調用クロック信号ｔckに基づき、上記変調方式の原理に則して再生が想定される複数種のデータ期間Ｔ´を生成するステップと、上記再生信号のデータ期間ｔn が上記生成される各データ期間Ｔ´のいずれに対応するか判定するステップと、上記再生信号の初めに含まれる同期用データを検出するステップと、上記選択の対象を、初めは上記検出される同期用データのデータ期間ｔn に対応する基準データ期間Ｔに決定し、以後、上記判定に応じた基準データ期間Ｔに決定するステップと、を備えている。
【００２０】
第１０の発明の磁気データ処理方法は、ＭＦＭ方式で記録された磁気データを搬送される磁気記録媒体から再生し復調するものであって、上記再生信号のデータ期間ｔn に基づき、上記ＭＦＭ方式の原理に則して存在する複数種のデータ期間から基準データ期間Ｔ（＝ｔn ／1 、＝ｔn ／1.5 、＝ｔn ／2 ）を生成するステップと、この生成される各基準データ期間Ｔのうち一つを選択するステップと、この選択される基準データ期間Ｔに時定数変化を与え、その時定数変化が与えられた基準データ期間Ｔに基づき復調用クロック信号ｔck（＝Ｔ／Ｎ、Ｎは整数）を作成するステップと、上記再生信号のデータ密度（＝bit ／inch）を判別するステップと、この判別されるデータ密度に応じて上記時定数を最適な初期値に設定するステップと、上記作成される復調用クロック信号ｔckに基づき、上記ＭＦＭ方式の原理に則して再生が想定される三種のデータ期間（ 1・Ｔ´、     1.5・Ｔ´、 2・Ｔ´）を生成するステップと、上記再生信号のデータ期間ｔn が上記生成される各データ期間（ 1・Ｔ´、 1.5・Ｔ´、 2・Ｔ´）のいずれに対応するか判定するステップと、上記再生信号の初めに含まれる同期用データを検出するステップと、上記選択の対象を、初めは上記検出される同期用データのデータ期間  ｔn に対応する基準データ期間Ｔ（＝ｔn ／1 ）に決定し、以後、上記判定に応じた基準データ期間Ｔ（＝ｔn ／1 、＝ｔn ／1.5 、＝ｔn ／2 ）に決定するステップと、を備えている。
【００２１】
【発明の実施の形態】
以下、この発明の一実施例について図面を参照して説明する。
磁気データ処理装置たとえばカードリーダを図２に示す。カードリーダの本体１は、前面部にカード挿入口２を備え、そのカード挿入口２に挿入ガイド３を備える。このカード挿入口２および挿入ガイド３にセットされる磁気記録媒体たとえばプリペードカードＣは、本体１内の搬送路４に取込まれ、ベルトで挟持されながら本体奥へと搬送される。
【００２２】
本体１内には、搬送路４に沿って、第１の磁気ヘッド５、第２の磁気ヘッド６、孔開け機７、印字ヘッド８が順に配設されている。
プリペードカードＣは、第１の磁気ヘッド５によりその磁気情報、つまり、残高が読み取られ、続いて、第２の磁気ヘッド６により、精算後の残高が磁気面に書き込まれる。その後、プリペードカードＣは、印字ヘッド８により残高、日付等の情報がその表面に印字される。そして、プリッペードカードＣは、搬送路４を戻るようにカード挿入口２へと搬送され、そこから排出される。なお、プリペードカードＣの精算後の残高がゼロの場合、孔開け機７によってプリペードカードＣに対する孔開けがなされる。
【００２３】
本体１内に制御部１０が設けられる。この制御部１０は、第２の磁気ヘッド６によるプリペードカードＣへのデータの書込みをＭＦＭ方式により行うとともに、第１の磁気ヘッド５によるプリペードカードＣからのデータの再生に際してはＭＦＭ方式に則した復調を行う。
【００２４】
ＭＦＭ方式による変調の例を図３に示している。
すなわち、データ“０００１０１１１００００”は、ＭＦＭ方式により、    “１０１０１０１０１０”という異なる周期成分を持つデータに変調される。そして、変調データのそれぞれの区切りに同期した磁化反転により、プリペイドカードＣに対する磁気記録がなされる。
【００２５】
ＭＦＭ方式の特徴として、変調される各データの期間（時間幅）に関し、三種類のデータ期間“ 1・Ｔ”“ 1.5・Ｔ”“ 2・Ｔ”が存在する。
制御部１０に搭載される再生回路を図１に示している。
【００２６】
第１の磁気ヘッド５からの再生信号は整形回路２０に供給される。この整形回路２０は、再生信号のデータを波形整形し、データ期間（時間幅）ｔn を捕らえる。捕らえられたデータ期間ｔn は、プリセットデータチェック回路２１、正規化回路３０、比較回路５０、時定数制御回路７０にそれぞれ供給される。
【００２７】
プリセットデータチェック回路２１は、再生信号の初めに含まれる同期用データを検出し、その検出の旨を選択スイッチ回路６０に供給する。同期用データは、先頭（アンブル）のデータであり、例えば“０”と決められている。
【００２８】
正規化回路３０は、データ期間ｔn に基づき、ＭＦＭ方式の原理に則して存在する複数種のデータ期間からそれぞれ基準データ期間Ｔ（＝ｔn ／1 、＝ｔn ／1.5 、＝ｔn ／2 のいずれか）を生成する第１生成手段であるところの演算回路３１，３２，３３、およびこれら演算回路の出力のうち一つを選択するための選択回路３４からなる。この選択出力は時定数回路付クロック作成器４０に供給される。
【００２９】
時定数回路付クロック作成器４０は、選択回路３４で選択される基準データ期間Ｔを内蔵の時定数回路に通し、その時定数回路を経た基準データ期間Ｔに基づく演算により、復調用クロック信号ｔck（＝Ｔ／Ｎ、Ｎは整数）を作成する。時定数回路は、復調用クロック信号ｔckに高周波的な変動が生じないようにするためのもので、時定数演算における立上がり改善のための初期値設定機能付となっている。
【００３０】
比較回路５０は、クロック作成器４０で作成される復調用クロック信号ｔckに基づき、ＭＦＭ方式の原理に則して再生が想定される三種のデータ期間（       1・Ｔ´、 1.5・Ｔ´、 2・Ｔ´）を生成する第２生成手段であるところの演算回路５１，５２，５３、および上記整形回路２０から供給されるデータ期間ｔn が上記生成される各データ期間（ 1・Ｔ´、 1.5・Ｔ´、 2・Ｔ´）のいずれに対応するか判定する判定手段であるところの比較器５４，５５，５６からなる。これら比較器の出力は上記選択スイッチ回路６０に供給される。
【００３１】
選択スイッチ回路６０は、選択回路３４の選択の対象を、初めにプリセットデータチェック回路２１が同期用データを検出するタイミングにおいて同期用データのデータ期間ｔn に対応する基準データ期間Ｔ（＝ｔn ／1 ）に決定し、以後、比較器５４，５５，５６の出力に応じた基準データ期間Ｔ（＝ｔn ／1 、    ＝ｔn ／1.5 、＝ｔn ／2 のいずれか）に決定する。
【００３２】
時定数制御回路７０は、整形回路２０から供給されるデータ期間ｔn に基づいて再生信号のデータ密度（＝bit ／inch）を判別する記録密度判別回路７１、およびこの判別されるデータ密度に応じてクロック作成器４０における時定数回路の時定数を最適な初期値に設定するための時定数初期値設定回路７２からなっている。
【００３３】
つぎに、上記の構成の作用を図５のフローチャートを参照して説明する。
プリペイドカードＣが本体１の投入口２に投入されると、プリペイドカードＣが搬送路４上を搬送される。この搬送に伴い、プリペイドカードＣに記録されている磁気データが再生される。
【００３４】
再生信号には先頭データとして同期用データがあり、それがプリセットチェック回路２１で検出される。このとき、同期用データのデータ期間ｔn に対応する基準データ期間Ｔとして、演算回路３１の基準データ期間Ｔ（＝ｔn ／1 ）が選択出力される。
【００３５】
この選択出力に基づき、クロック作成器４０で復調用クロック信号ｔck（＝  Ｔ／Ｎ、Ｎは整数）が作成される。復調用クロック信号ｔckは上記再生信号と共に復調回路（図示しない）に供給される。
【００３６】
また、復調用クロック信号ｔckが比較回路５０に供給され、その復調用クロック信号ｔckに基づき、ＭＦＭ方式の原理に則して再生が想定される三種のデータ期間（ 1・Ｔ´、 1.5・Ｔ´、 2・Ｔ´）が生成される。
【００３７】
1・Ｔ´＝ｔck・Ｎ・1
1.5・Ｔ´＝ｔck・Ｎ・1.5
2・Ｔ´＝ｔck・Ｎ・2
図４に示すように、ＭＦＭ方式の原理に則して三種の基準データ期間Ｔ（＝  ｔn ／1 ）、 1.5Ｔ（＝ｔn ／1.5 ）、 2Ｔ（＝ｔn ／2 ）が存在する。これらデータ期間Ｔ、 1.5Ｔ、 2Ｔの判別点はＡ点およびＢ点である。
【００３８】
これら基準データ期間に対し、Ａ点およびＢ点が基準となる判別領域（マージン）Ｍ1 ，Ｍ2 ，Ｍ3 が設定されており、同じ判別領域が上記想定される三種のデータ期間（ 1・Ｔ´、 1.5・Ｔ´、 2・Ｔ´）に対しても設定される。
【００３９】
判別領域Ｍ1 ＝0.75・Ｎ・ｔck  ないし  1.25・Ｎ・ｔck
判別領域Ｍ2 ＝1.25・Ｎ・ｔck  ないし  1.75・Ｎ・ｔck
判別領域Ｍ3 ＝1.75・Ｎ・ｔck  ないし  2.25・Ｎ・ｔck
これら判別領域を含む三種のデータ期間（ 1・Ｔ´、 1.5・Ｔ´、 2・Ｔ´）に対し、そのいずれに再生信号のデータ期間ｔn が対応するか、判定される。
【００４０】
同期用データが検出される再生開始時は、無条件に同期用データのデータ期間ｔn に対応する基準データ期間Ｔ（＝ｔn ／1 ）が選択されるが、それ以後は、上記判定に応じた基準データ期間Ｔ（＝ｔn ／1 、＝ｔn ／1.5 、＝ｔn ／2 のいずれか）が選択される。
【００４１】
この選択により、プリペイドカードＣの搬送速度の偏差や変動があっても、あるいは書込み時の記録密度の偏差や書込み不良があっても、それに追従（時定数の範囲内で追従）する形で復調用クロック信号ｔckが作成され、結果的に誤りのない復調が可能となる。たとえば、記録密度の偏差が±20％以上あっても、復調が可能である。
【００４２】
しかも、復調用クロック信号ｔckの作成にあたっては、基準データ期間Ｔに一旦時定数処理を加えているので、復調用クロック信号ｔckに高周波的な変動が生じることもなく、復調処理への悪影響を防止できる。
【００４３】
また、再生信号のデータの記録密度が記録密度判別回路７１で判別されており、その判別結果が復調用クロック信号ｔckの作成にあたっての時定数演算処理に反映される。すなわち、再生開始に際して、時定数演算を、全ての定数を零から演算したのでは立上がりが悪く応答性が悪くなり、適切なクロックを作成できなくなって復調処理に悪影響を与えてしまう。これを防止するため、再生開始時に記録密度を判別し、それに最適な初期値を時定数演算部の定数に設定することで、良好な応答性を確保する。
【００４４】
三種類のデータ期間“ 1・Ｔ”“ 1.5・Ｔ”“ 2・Ｔ”が現れる頻度を実験により確かめてヒストグラムとしたのが図６および図７である。図６は従来、図７は本実施例の場合であり、従来よりも本実施例の方が頻度の偏りが少ない。
【００４５】
【発明の効果】
以上述べたように、
第１ないし第５の発明の磁気データ処理装置は、磁気記録媒体の搬送速度の変動、あるいは磁気記録媒体に対するデータ書込み時の記録密度の偏差や書込み不良などに影響を受けることなく、安定した復調用クロック信号を得て誤りのない適正な復調が可能となる。
【００４６】
第６ないし第１０の発明の磁気データ処理方法は、磁気記録媒体の搬送速度の変動、あるいは磁気記録媒体に対するデータ書込み時の記録密度の偏差や書込み不良などに影響を受けることなく、安定した復調用クロック信号を得て誤りのない適正な復調が可能となる。
【図面の簡単な説明】
【図１】一実施例における再生回路のブロック図。
【図２】同実施例のカードリーダの構成を断面して示す図。
【図３】同実施例におけるＭＦＭ方式のデータフォーマットを示す図。
【図４】同実施例における複数種のデータ期間および判別領域の関係を示す図。
【図５】同実施例の作用を説明するためのフローチャート。
【図６】従来における三種類のデータ期間が現れる頻度を実験により確かめて示すヒストグラム。
【図７】この発明の一実施例における三種類のデータ期間が現れる頻度を実験により確かめて示すヒストグラム。
【符号の説明】
１…カードリーダの本体、２…カード挿入口、４…搬送路、５…第１の磁気ヘッド、６…第２の磁気ヘッド、７…孔開け機、８…印字ヘッド、１０…制御部、２０…整形回路、２１…プリセットデータチェック回路、３０…正規化回路、  ３１，３２，３３…演算回路、４０…時定数回路付クロック作成器、５０…比較回路、７０…時定数制御回路。
【図１】
0003660406.tif 000002
【図２】
0003660406.tif 000003
【図３】
0003660406.tif 000004
【図４】
0003660406.tif 000005
【図５】
0003660406.tif 000006
【図６】
0003660406.tif 000007
【図７】
0003660406.tif 000008